【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）によるワイヤレス通信のための方法であって、
少なくとも１つの無線フレーム内で、複数のサブフレームにわたってバンドリングされた送信のために利用不可能な１つまたは複数のサブフレームを識別することと、ここにおいて、
前記識別することは、利用不可能なサブフレームを少なくとも第１のグループおよび第２のグループに分類することを備え、ここにおいて、
前記第１のグループは、前記ナローバンド領域を使用して通信するいずれのＵＥに対するバンドリングされた送信のためにも利用可能でないと決定されたサブフレームを備え、
前記第２のグループは、１つまたは複数の特定のＵＥに対するバンドリングされた送信のために利用可能でないと決定されたサブフレームを備える、
複数のサブフレームにわたってバンドリングされた送信を使用して、より広いシステム帯域幅内の少なくとも１つのナローバンド領域を介して通信することと、ここにおいて、前記通信することは、
前記第２のグループの１つまたは複数の利用不可能なサブフレーム上で生じるであろうバンドリングされた送信をスキップする、または、
バンドリングされた送信を、それらが前記第１のグループの１つまたは複数の利用不可能なサブフレーム上で生じるようにスケジュールされている場合、延期し、および前記延期されたバンドリングされた送信を、１つまたは複数の後に生じるサブフレームにスケジュールする、
ように調整される、
を備える、方法。
【請求項２】
前記識別は、動的にスケジュールされたサブフレーム構成に少なくとも部分的に基づく、請求項１に記載の方法。
【請求項３】
バンドリングされたアップリンク送信のためのサブフレームの利用可能性またはバンドリングされたダウンリンク送信のためのサブフレームの利用可能性のうちの少なくとも１つを示すシグナリングを受信することをさらに備える、請求項２に記載の方法。
【請求項４】
前記シグナリングは、１つまたは複数のビットマップによって提供される、請求項３に記載の方法。
【請求項５】
前記シグナリングは、
バンドリングされたダウンリンク送信のためのサブフレームの利用可能性を決定するための第１のサブフレーム構成、および、
バンドリングされたアップリンク送信のためのサブフレームの利用可能性を決定するための第２のサブフレーム構成、
によって提供される、請求項３に記載の方法。
【請求項６】
前記ＵＥがカバレッジエンハンスメント（ＣＥ）モードにあるか否かを決定することと、
前記決定に基づいて、後続のサブフレームを使用して送信することと、
をさらに備える、請求項５に記載の方法。
【請求項７】
後続のサブフレームがアップリンク送信のために利用可能であることを示すグラントを受信することと、
少なくとも現在の無線フレームについて、前記後続のサブフレーム、および前記第２のサブフレーム構成に基づいて利用可能であると示されたサブフレームを使用して送信することと、
をさらに備える、請求項５に記載の方法。
【請求項８】
前記識別は、バンドリングされた送信の対象となるチャネルのタイプに少なくとも部分的に基づく、請求項１に記載の方法。
【請求項９】
前記識別は、１つまたは複数のチャネルタイプの第１のセットのための第１の基準サブフレーム構成に基づき、
前記識別は、１つまたは複数のチャネルタイプの第２のセットのための第２の基準サブフレーム構成に基づく、
請求項８に記載の方法。
【請求項１０】
前記ＵＥは、前記ナローバンド領域を介して通信しないＵＥとは異なる周期性でサブフレーム構成に関するシステム情報（ＳＩ）更新を受信する、請求項１に記載の方法。
【請求項１１】
ワイヤレス通信のための装置であって、
少なくとも１つの無線フレーム内で、複数のサブフレームにわたってバンドリングされた送信のために利用不可能な１つまたは複数のサブフレームを識別するように構成される少なくとも１つのプロセッサと、ここにおいて、
前記識別することは、利用不可能なサブフレームを少なくとも第１のグループおよび第２のグループに分類することを備え、ここにおいて、
前記第１のグループは、前記ナローバンド領域を使用して通信するいずれのＵＥに対するバンドリングされた送信のためにも利用可能でないと決定されたサブフレームを備え、
前記第２のグループは、１つまたは複数の特定のＵＥに対するバンドリングされた送信のために利用可能でないと決定されたサブフレームを備える、
複数のサブフレームにわたってバンドリングされた送信を使用して、より広いシステム帯域幅内の少なくとも１つのナローバンド領域を介して通信するように構成されるインタフェースと、ここにおいて、前記通信することは、
前記第２のグループの１つまたは複数の利用不可能なサブフレーム上で生じるであろうバンドリングされた送信をスキップする、または、
バンドリングされた送信を、それらが前記第１のグループの１つまたは複数の利用不可能なサブフレーム上で生じるようにスケジュールされている場合、延期し、および前記延期されたバンドリングされた送信を、１つまたは複数の後に生じるサブフレームにスケジュールする、
ように調整される、
を備える、装置。
【請求項１２】
前記少なくとも１つのプロセッサは、動的にスケジュールされたサブフレーム構成に少なくとも部分的に基づいて、少なくとも１つの無線フレーム内で、複数のサブフレームにわたってバンドリングされた送信のために利用不可能な１つまたは複数のサブフレームを識別するようにさらに構成される、請求項１１に記載の装置。
【請求項１３】
前記インタフェースは、バンドリングされたアップリンク送信のためのサブフレームの利用可能性またはバンドリングされたダウンリンク送信のためのサブフレームの利用可能性のうちの少なくとも１つを示すシグナリングを受信するようにさらに構成される、請求項１２に記載の装置。
【請求項１４】
前記少なくとも１つのプロセッサは、バンドリングされた送信の対象となるチャネルのタイプに少なくとも部分的に基づいて、少なくとも１つの無線フレーム内で、複数のサブフレームにわたってバンドリングされた送信のために利用不可能な１つまたは複数のサブフレームを識別するようにさらに構成される、請求項１１に記載の装置。
【請求項１５】
コンピュータによって実行されると、前記コンピュータに、請求項１ないし１０のいずれかに記載の方法を行わせる命令を備えるコンピュータプログラム。
【手続補正２】
【補正対象書類名】明細書
【補正対象項目名】００８６
【補正方法】変更
【補正の内容】
【００８６】
[0096]  本開示の先の説明は、当業者が本開示を製造または使用することを可能にするために提供されている。本開示への様々な修正は、当業者にとって容易に明らかとなり、ここに定義された一般的な原理は、本開示の範囲または精神から逸脱することなく、他のバリエーションに適用され得る。したがって、本開示は、ここに説明された例および設計に限定されるようには意図されておらず、ここに開示された原理および新規な特徴と一致する最も広い範囲を与えられるべきである。
以下に本願の出願当初の特許請求の範囲に記載された発明を付記する。
［Ｃ１］  ユーザ装置（ＵＥ）によるワイヤレス通信のための方法であって、
少なくとも１つの無線フレーム内で、複数のサブフレームにわたってバンドリングされた送信のために利用不可能な１つまたは複数のサブフレームを識別することと、
前記識別に基づいて、複数のサブフレームにわたってバンドリングされた送信を使用して、より広いシステム帯域幅内の少なくとも１つのナローバンド領域を介して通信することと、
を備える、方法。
［Ｃ２］  前記識別することは、利用不可能なサブフレームを少なくとも第１のグループおよび第２のグループに分類することを備え、
前記通信することは、利用不可能なサブフレームの分類に基づいて調整される、
Ｃ１に記載の方法。
［Ｃ３］  前記通信することは、
前記第２のグループの１つまたは複数の利用不可能なサブフレーム上で生じるであろうバンドリングされた送信を１つまたは複数の後に生じるサブフレームにスキップする、または、
バンドリングされた送信を、それらが前記第１のグループの１つまたは複数の利用不可能なサブフレーム上で生じるようにスケジュールされている場合、延期し、および前記延期されたバンドリングされた送信を、１つまたは複数の後に生じるサブフレームにスケジュールする、
ように調整される、Ｃ２に記載の方法。
［Ｃ４］  前記第１のグループは、前記ナローバンド領域を使用して通信するいずれのＵＥに対するバンドリングされた送信のためにも利用可能でないと決定されたサブフレームを備え、
前記第２のグループは、１つまたは複数の特定のＵＥに対するバンドリングされた送信のために利用可能でないと決定されたサブフレームを備える、
Ｃ３に記載の方法。
［Ｃ５］  前記識別は、動的にスケジュールされたサブフレーム構成に少なくとも部分的に基づく、Ｃ１に記載の方法。
［Ｃ６］  バンドリングされたアップリンク送信のためのサブフレームの利用可能性またはバンドリングされたダウンリンク送信のためのサブフレームの利用可能性のうちの少なくとも１つを示すシグナリングを受信することをさらに備える、Ｃ５に記載の方法。
［Ｃ７］  前記シグナリングは、１つまたは複数のビットマップによって提供される、Ｃ６に記載の方法。
［Ｃ８］  前記シグナリングは、
バンドリングされたダウンリンク送信のためのサブフレームの利用可能性を決定するための第１のサブフレーム構成、および、
バンドリングされたアップリンク送信のためのサブフレームの利用可能性を決定するための第２のサブフレーム構成、
によって提供される、Ｃ６に記載の方法。
［Ｃ９］  前記ＵＥがカバレッジエンハンスメント（ＣＥ）モードにあるか否かを決定することと、
前記決定に基づいて、後続のサブフレームを使用して送信することと、
をさらに備える、Ｃ８に記載の方法。
［Ｃ１０］  後続のサブフレームがアップリンク送信のために利用可能であることを示すグラントを受信することと、
少なくとも現在の無線フレームについて、前記後続のサブフレーム、および前記第２のサブフレーム構成に基づいて利用可能であると示されたサブフレームを使用して送信することと、
をさらに備える、Ｃ８に記載の方法。
［Ｃ１１］  前記識別は、バンドリングされた送信の対象となるチャネルのタイプに少なくとも部分的に基づく、Ｃ１に記載の方法。
［Ｃ１２］  前記識別は、１つまたは複数のチャネルタイプの第１のセットのための第１の基準サブフレーム構成に基づき、
前記識別は、１つまたは複数のチャネルタイプの第２のセットのための第２の基準サブフレーム構成に基づく、
Ｃ１１に記載の方法。
［Ｃ１３］  前記ＵＥは、前記ナローバンド領域を介して通信しないＵＥとは異なる周期性でサブフレーム構成に関するシステム情報（ＳＩ）更新を受信する、Ｃ１に記載の方法。
［Ｃ１４］  ユーザ装置（ＵＥ）によるワイヤレス通信のための方法であって、
通信リンクの複信モードを決定することと、
前記決定された複信モードについてのシステム情報を受信することと、
少なくとも前記受信されたシステム情報に基づいて、アップリンクおよびダウンリンク送信のために利用可能なサブフレームを識別することと、
を備える、方法。
［Ｃ１５］  チャネル状態情報（ＣＳＩ）の周期的な送信のためにスケジュールされた前記識別されたサブフレームのセットを決定することと、
物理ダウンリンク共有チャネル（ＰＤＳＣＨ）送信のためにスケジュールされた前記識別されたサブフレームのセットを決定することと、
周期的なＣＳＩの送信のためにスケジュールされた識別されたサブフレームの前記セットが、ＰＤＳＣＨ送信のためにスケジュールされた識別されたサブフレームの前記セットと少なくとも部分的にオーバーラップする場合、ＣＳＩの周期的な送信をドロップすることと、
をさらに備える、Ｃ１４に記載の方法。
［Ｃ１６］  後続のサブフレームがアップリンク送信のために利用可能であることを示すグラントを受信することと、
少なくとも前記受信されたシステム情報に基づいて、アップリンクおよびダウンリンク送信のために利用可能であると識別された前記サブフレームに関係なく、前記後続のサブフレームを使用して送信することと、
をさらに備える、Ｃ１４に記載の方法。
［Ｃ１７］  時分割複信（ＴＤＤ）モードについての前記システム情報は、ＴＤＤ構成、およびサブフレームの利用可能性をシグナリングするマスク、を備え、
周波数分割複信（ＦＤＤ）モードについての前記システム情報は、ダウンリンクのためのサブフレームの利用可能性およびアップリンクのためのサブフレームの利用可能性をシグナリングするマスクを備える、
Ｃ１４に記載の方法。
［Ｃ１８］  前記アップリンクおよびダウンリンク送信のうちの少なくとも１つは、より広いシステム帯域幅内の少なくとも１つのナローバンド領域を使用するバンドリングされた送信を備える、Ｃ１４に記載の方法。
［Ｃ１９］  ユーザ装置（ＵＥ）によるワイヤレス通信のための方法であって、
有効なダウンリンク受信のためのサブフレームの第１のセットを決定することと、
サブフレームの第２のセットを決定することと、
少なくともサブフレームの前記第１のセットおよびサブフレームの前記第２のセットに基づいて、有効なダウンリンク受信のためのサブフレームの第３のセットを決定することと、
有効なダウンリンク受信のためのサブフレームの前記第３のセットにおいてダウンリンクチャネルを受信することと、
を備える、方法。
［Ｃ２０］  サブフレームの前記第２のセットは、ＭＢＳＦＮサブフレームを備える、Ｃ１９に記載の方法。
［Ｃ２１］  サブフレームの前記第２のセットは、特別なサブフレームを備える、Ｃ１９に記載の方法。
［Ｃ２２］  有効なダウンリンク受信のためのサブフレームの前記第３のセットを決定することは、有効なダウンリンク受信のためのサブフレームの前記第１のセットに含まれかつサブフレームの前記第２のセットに含まれないサブフレームを決定することを備える、Ｃ１９に記載の方法。
［Ｃ２３］  ダウンリンクチャネルまたは送信モードのうちの少なくとも１つを決定することをさらに備え、ここにおいて、有効なダウンリンクのためのサブフレームの第２のセットを前記決定することは、少なくとも前記ダウンリンクチャネルおよび／または送信モードに基づく、Ｃ１９に記載の方法。
［Ｃ２４］  ダウンリンク制御チャネルのためのバンドルサイズを決定することをさらに備え、ここにおいて、有効なダウンリンクのためのサブフレームの第２のセットを前記決定することは、少なくともダウンリンク制御チャネルのための前記バンドルサイズに基づく、Ｃ１９に記載の方法。
［Ｃ２５］  ワイヤレス通信のための装置であって、
少なくとも１つの無線フレーム内で、複数のサブフレームにわたってバンドリングされた送信のために利用不可能な１つまたは複数のサブフレームを識別するように構成される少なくとも１つのプロセッサと、
前記識別に基づいて、複数のサブフレームにわたってバンドリングされた送信を使用して、より広いシステム帯域幅内の少なくとも１つのナローバンド領域を介して通信するように構成されるインタフェースと、
を備える、装置。
［Ｃ２６］  ワイヤレス通信のための装置であって、
通信リンクの決定された複信モードについてのシステム情報を受信するように構成されるインタフェースと、
少なくとも前記受信されたシステム情報に基づいて、アップリンクおよびダウンリンク送信のために利用可能なサブフレームを識別するように構成される少なくとも１つのプロセッサと、
を備える、装置。
［Ｃ２７］  ワイヤレス通信のための装置であって、
有効なダウンリンク受信のためのサブフレームの第１のセットを決定することと、サブフレームの第２のセットを決定することと、少なくともサブフレームの前記第１のセットおよびサブフレームの前記第２のセットに基づいて、有効なダウンリンク受信のためのサブフレームの第３のセットを決定することと、を行うように構成される少なくとも１つのプロセッサと、
有効なダウンリンク受信のためのサブフレームの前記第３のセットにおいてダウンリンクチャネルを受信するように構成されるインタフェースと、
を備える、装置。